【手続補正書】
【提出日】平成17年3月24日(2005.3.24)
【手続補正１】
【補正対象書類名】特許請求の範囲
【補正対象項目名】請求項１２
【補正方法】変更
【補正の内容】
【請求項１２】
前記シート支持具は前記収納容器の一部と支持細部で連接支持され、切断具をシートに当接する際、シート切断具の当接により弾性変形する請求項６に記載のシート収納容器。
【手続補正２】
【補正対象書類名】明細書
【補正対象項目名】０００８
【補正方法】変更
【補正の内容】
【０００８】
また、請求項２に記載のシート切断具は、鋸歯状刃を構成する単一素子刃の形状が前記第１基板と第２基板では逆になるように形成されている。
【手続補正３】
【補正対象書類名】明細書
【補正対象項目名】００１８
【補正方法】変更
【補正の内容】
【００１８】
更にまた、請求項１２に記載のシート収納容器は、請求項６において、前記シート支持具が前記収納容器の一部と支持細部で連接支持され、切断具をシートに当接する際、シート切断具の当接により弾性変形する構成になっている。
【手続補正４】
【補正対象書類名】明細書
【補正対象項目名】００２０
【補正方法】変更
【補正の内容】
【００２０】
本発明のシート収納容器は、ロール状に巻回されたシートを収納容器に回転自在に収納するので、シートを使用し終わっても、収納容器を何度でも使用できる。
また、押圧具が収納容器の長軸と垂直方向に移動自在に設けられ、且つ収納容器の表面に接近させた際、その表面に沿うように設けられており、この押圧具と対向する収納容器の一部に可撓性のシート支持部が設けられており、このシート支持部或は押圧具の少なくとも一方において、前記シート支持部と押圧具との対向する面の少なくとも一方にシートの滑止部が設けられているので、シート切断時にシートが滑ることはない。また、シート支持具の上面にシート圧接取出用凹部を設けた場合にはシートを取出しやすい。ロール状のシートを収納容器に収納する際、第１回転支持部或は第２回転支持部の少なくともいずれか一方は先端に向かって先端の径が細くなるように傾斜部が設けられているので、収納容器に収納しやすい。また、その傾斜部の一部にシートの巻回芯管の逆転防止用の刻設突部が設けられる場合には、シートが収納容器内に逆戻りすることはない。更にまた、シート収納容器は、シート支持具が収納容器の一部と支持細部で連接支持されているので、切断具をシートに当接する際、シート切断具の当接により弾性変形し、シートをスムーズに切断することが出来る。
【手続補正５】
【補正対象書類名】明細書
【補正対象項目名】００２５
【補正方法】変更
【補正の内容】
【００２５】
次に、本発明の収納容器について説明する。図２〜図７においては、シート４は透明であるので、透けた図面として記してある。
図２〜図７に示す如く、合成樹脂製の収納容器６は一端が閉成された円筒或は四角形の筒状体７に形成され、筒の閉端側には筒の内方に向かって凸部よりなる第１回転支持部８が設けられている。筒状体７の開放端９から連通して側面長手方向にスリット状の長孔１０が設けられている。筒状体７の開放端９は施蓋部１１で施蓋される。施蓋部１１には筒状体７の第１回転支持部８と対向する位置に凸部よりなる第２回転支持部１２が設けられている。長孔１０に隣接して筒状体７の一部にシート支持部１３が設けられている。このシート支持部１３は支持細部１３ａ及び１３ｂで筒状体７に連接支持されており、その他の部分は切欠孔２１a、２１b、２１cで切り離されている。長孔１０の近傍には回転自在に係合される第１係合部１４ａ及び１４ｂ（図示せず）が設けられている。筒状体７の外形と近似形で且つシート支持部１３を覆う形状の押圧具１５が第１係合部１４ａ及び１４ｂに第２係合部１５ａ及び１５ｂにより回転自在に係合される。押圧具１５の先端には切断具１が装着されるが、その際、切断具の取付孔（５）（５’）（５”）に押圧具１５の取付用突起部（図示せず）を挿入して加熱溶融して固着させる。
【手続補正６】
【補正対象書類名】明細書
【補正対象項目名】００２７
【補正方法】変更
【補正の内容】
【００２７】
次に収納容器からシート４を取り出すには次のようにする。即ち、収納容器から押圧具１５を開け、指先でシート支持部１３に設けたシート圧接取出用孔１８を目当てにシートの上から指で押しさげると、シートの先端部が持ち上がるので、それを摘み、所望の長さだけ引っ張り出す。次に、例えば、一方の手（左）でシートを引っ張り、右手指で押圧具１５を押すと、押圧具の内面には凸部からなるシート滑止部１９ａ，１９ｂ，１９ｃが設けてあり、これと対応するシート支持部１３の位置に凹欠孔よりなるシート滑止部２０ａ，２０ｂ，２０ｃが設けられており、これら両滑止部によりシート４はしっかり挟持されるので、シートが滑ることはない。シート支持部は支持細部１３ａ及び１３ｂで支持されているので、弾性を有し、シート支持部１３は合成樹脂製の可撓性であり、押圧具１５を押すと、弾性変形するので、スムーズにシートが切断される。少しの引っ張る力でも効率良くシートが引っ張られ、よりスムーズにシートを切断できる。
【手続補正７】
【補正対象書類名】明細書
【補正対象項目名】００２９
【補正方法】変更
【補正の内容】
【００２９】
１                      シート切断具
２                      帯状板
３、３’                鋸歯状刃
４                      シート
５                      取付孔
６                      収納容器
７                      筒状体
８                      第１回転支持部
９                      開放端
１０                    長孔
１１                    施蓋部
１２                    第２回転支持部
１３                    シート支持部
１３ａ，１３ｂ          支持細部
１４ａ，１４ｂ          第１係合部
１５ａ，１５ｂ          第２係合部
１６                      紙管
１７                      ロール状巻回体
１８                      シート圧接取出用孔
１９ａ、１９ｂ．１９ｃ    滑止部
２０ａ、２０ｂ、２０ｃ    滑止部
２１a、２１b、２１c       切欠孔
Ａ                        第１基板
Ｂ                        第２基板
ａ１，ａ２，ａｎ          単一素子刃
ｂ１，ｂ２，ｂｎ          単一素子刃
ｍ                        長手軸
ｎ                        長手軸  
ｋ１                      中心線
ｋ２                      中心線
ｋ３                      直交線
【手続補正８】
【補正対象書類名】図面
【補正対象項目名】図１
【補正方法】変更
【補正の内容】
【図１】
2005186236.tif 000001
【手続補正９】
【補正対象書類名】図面
【補正対象項目名】図２
【補正方法】変更
【補正の内容】
【図２】
2005186236.tif 000002
【手続補正１０】
【補正対象書類名】図面
【補正対象項目名】図３
【補正方法】変更
【補正の内容】
【図３】
2005186236.tif 000003
【手続補正１１】
【補正対象書類名】図面
【補正対象項目名】図４
【補正方法】変更
【補正の内容】
【図４】
2005186236.tif 000004